(57)【要約】【課題】固相担体表面や固相担体に固定化した物質及び反応容器内壁への検体由来の非特異的反応を減少させ、正確性の高い免疫測定方法及び免疫測定用キットを提供する。【解決手段】下記工程（１）と、工程（２）又は（２’）とを含み、工程（２）及び（２’）をアルカリ土類金属の有機酸塩（Ｃ）の存在下で行う免疫測定方法。工程（１）：測定対象物質と特異的に結合する物質（Ｄ）を固定化した固相担体（ａ）と測定対象物質（Ｇ）とを反応させて、（Ｄ）と（Ｇ）との複合体（Ｊ）を形成させる工程。工程（２）：標識された測定対象物質と特異的に結合する物質（Ｆ３）と複合体（Ｊ）とを反応させて、（Ｄ）と（Ｇ）と（Ｆ３）との複合体（Ｌ）を形成させる工程。工程（２’）：（ａ）に固定化された物質（Ｄ）と標識された測定対象物質（Ｆ１）又はその類似物質（Ｆ２）とを反応させて、（Ｄ）と（Ｆ１）又は（Ｆ２）との複合体（Ｍ）を形成させる工程。【選択図】なし【特許請求の範囲】
【請求項１】
試料中の測定対象物質（Ｇ）の濃度を測定する免疫測定方法であって、下記工程（１）と、工程（２）又は工程（２’）とを含む免疫測定方法。
工程（１）：測定対象物質と特異的に結合する物質（Ｄ）を固定化した固相担体（ａ）と測定対象物質（Ｇ）とを反応させて、物質（Ｄ）と測定対象物質（Ｇ）との複合体（Ｊ）を形成させる工程。
工程（２）：標識物質（ｂ）により標識された測定対象物質と特異的に結合する物質（Ｆ３）と複合体（Ｊ）とをアルカリ土類金属の有機酸塩（Ｃ）の含有量が０．０５ｍＭ〜１５ｍＭである溶液中で反応させて、物質（Ｄ）と測定対象物質（Ｇ）と物質（Ｆ３）との複合体（Ｌ）を形成させる工程。
工程（２’）：固相担体（ａ）に固定化された測定対象物質と特異的に結合する物質（Ｄ）と標識物質（ｂ）により標識された測定対象物質（Ｆ１）又はその類似物質（Ｆ２）とをアルカリ土類金属の有機酸塩（Ｃ）の含有量が０．０５ｍＭ〜１５ｍＭである溶液中で反応させて、物質（Ｄ）と物質（Ｆ１）又は（Ｆ２）との複合体（Ｍ）を形成させる工程。
【請求項２】
アルカリ土類金属の有機酸塩（Ｃ）が、ギ酸マグネシウム、酢酸マグネシウム及びシュウ酸マグネシウムからなる群から選ばれる少なくとも１種である請求項１記載の免疫測定方法。
【請求項３】
固相担体（ａ）が、磁性粒子（ａ１）である請求項１又は２記載の免疫測定方法。
【請求項４】
磁性粒子（ａ１）が、体積平均粒子径が１〜２０ｎｍの超常磁性金属酸化物を磁性粒子（ａ１）の重量を基準として６０〜９５重量％含有する磁性シリカ粒子（ａ１１）である請求項３記載の免疫測定方法。
【請求項５】
標識物質（ｂ）が、ペルオキシダーゼである請求項１〜４のいずれか記載の免疫測定方法。
【請求項６】
測定対象物質（Ｇ）がＰＩＶＫＡ−ＩＩであり、物質（Ｄ）が抗ＰＩＶＫＡ−ＩＩモノクローナル抗体であり、物質（Ｆ３）が標識物質（ｂ）で標識された抗プロトロンビン抗体である請求項１〜５のいずれか記載の免疫測定方法。
【請求項７】
免疫測定用試薬として固相担体試薬（Ａ）と標識試薬（Ｂ）とを含む免疫測定用キットであって、測定対象物質と特異的に結合する物質（Ｄ）を固定化した固相担体（ａ）を固相担体試薬（Ａ）中に含有し、標識物質（ｂ）により標識された測定対象物質（Ｆ１）、その類似物質（Ｆ２）又は標識物質（ｂ）により標識された測定対象物質と特異的に結合する物質（Ｆ３）と、アルカリ土類金属の有機酸塩（Ｃ）とを標識試薬（Ｂ）中に含有する請求項１〜６のいずれか記載の免疫測定方法に用いられる免疫測定用キット。
【請求項８】
更にルミノール発光試薬（Ｅ１）及び過酸化水素液（Ｅ２）を含む化学発光試薬（Ｅ）を含み、標識試薬（Ｂ）中の標識物質がペルオキシダーゼである請求項７記載の免疫測定用キット。
【発明の詳細な説明】
【技術分野】
【０００１】
本発明は、免疫測定方法及び免疫測定用キットに関する。
【背景技術】
【０００２】
免疫測定においては、血清検体を測定する際、反応容器、固相担体表面、固相担体表面に固定化した物質への検体由来の成分の非特異的な吸着が特定の検体でみられ、これらの非特異反応が正確な測定を行う妨げとなり問題となっている（例えば、非特許文献１）。非特異反応を防止するため種々の蛋白質、界面活性剤及び塩類等を含有させた免疫測定試薬が提案されている（例えば、特許文献１〜３）。
【０００３】
また、免疫測定において、測定対象物を検出するための標識物質が、固相である磁性シリカ粒子表面、固相に固定化した物質及び反応容器内壁へ非特異的に結合することに起因して、正常値と判定されるべき検体が、誤って異常値と判定されること（いわゆる標識物質の非特異的反応）が大きな課題となっている。また、標識物質の非特異的反応が生じると、測定のノイズが上昇し、測定感度が低下することも問題である。特に従来の技術では、標識物質の非特異的反応を抑制するには限界がある。これら非特異的反応を減少させることは、多数検体同時迅速検査を目的とした自動化免疫測定装置の開発において、ますます重要な課題となっている。
【先行技術文献】
【非特許文献】
【０００４】
【非特許文献１】Ｊａｐａｎｅｓｅ  Ｊｏｕｒｎａｌ  ｏｆ  Ｃｌｉｎｉｃａｌ  Ｌａｂｏｒａｔｏｒｙ  Ａｕｔｏｍａｔｉｏｎ，Ｖｏｌ．３６，Ｎｏ．２，Ｐ２０８−２１３，２０１１
【特許文献】
【０００５】
【特許文献１】特開２００４−１１７３４１号公報
【特許文献２】特開２０１０−１２７８２７号公報
【特許文献３】特開２０１０−２１６９７０号公報
【発明の概要】
【発明が解決しようとする課題】
【０００６】
本発明は、固相担体表面や固相担体に固定化した物質及び反応容器内壁への検体由来の非特異的反応を減少させ、正確性の高い免疫測定方法及び免疫測定用キットを提供することを目的とする。
【課題を解決するための手段】
【０００７】
本発明者らは、上記目的を達成するため鋭意検討した結果、本発明に到達した。即ち、本発明は、試料中の測定対象物質（Ｇ）の濃度を測定する免疫測定方法であって、下記工程（１）と、工程（２）又は工程（２’）とを含む免疫測定方法；免疫測定用試薬として固相担体試薬（Ａ）と標識試薬（Ｂ）とを含む免疫測定用キットであって、測定対象物質と特異的に結合する物質（Ｄ）を固定化した固相担体（ａ）を固相担体試薬（Ａ）中に含有し、標識物質（ｂ）により標識された測定対象物質（Ｆ１）、その類似物質（Ｆ２）又は標識物質（ｂ）により標識された測定対象物質と特異的に結合する物質（Ｆ３）と、アルカリ土類金属の有機酸塩（Ｃ）とを標識試薬（Ｂ）中に含有する前記免疫測定方法に用いられる免疫測定用キットである。
工程（１）：測定対象物質と特異的に結合する物質（Ｄ）を固定化した固相担体（ａ）と測定対象物質（Ｇ）とを反応させて、物質（Ｄ）と測定対象物質（Ｇ）との複合体（Ｊ）を形成させる工程。
工程（２）：標識物質（ｂ）により標識された測定対象物質と特異的に結合する物質（Ｆ３）と複合体（Ｊ）とをアルカリ土類金属の有機酸塩（Ｃ）の含有量が０．０５ｍＭ〜１５ｍＭである溶液中で反応させて、物質（Ｄ）と測定対象物質（Ｇ）と物質（Ｆ３）との複合体（Ｌ）を形成させる工程。
工程（２’）：固相担体（ａ）に固定化された測定対象物質と特異的に結合する物質（Ｄ）と標識物質（ｂ）により標識された測定対象物質（Ｆ１）又はその類似物質（Ｆ２）とをアルカリ土類金属の有機酸塩（Ｃ）の含有量が０．０５ｍＭ〜１５ｍＭである溶液中で反応させて、物質（Ｄ）と物質（Ｆ１）又は（Ｆ２）との複合体（Ｍ）を形成させる工程。
【発明の効果】
【０００８】
本発明の免疫測定方法及び免疫測定用キットは、正確性の高い臨床検査を可能とする。
【発明を実施するための形態】
【０００９】
本発明の免疫測定方法は、試料中の測定対象物質（Ｇ）の濃度を測定する免疫測定方法であって、下記工程（１）と、工程（２）又は工程（２’）とを含む免疫測定方法。
工程（１）：測定対象物質と特異的に結合する物質（Ｄ）を固定化した固相担体（ａ）と測定対象物質（Ｇ）とを反応させて、物質（Ｄ）と測定対象物質（Ｇ）との複合体（Ｊ）を形成させる工程。
工程（２）：標識物質（ｂ）により標識された測定対象物質と特異的に結合する物質（Ｆ３）と複合体（Ｊ）とをアルカリ土類金属の有機酸塩（Ｃ）の含有量が０．０５ｍＭ〜１５ｍＭである溶液中で反応させて、物質（Ｄ）と測定対象物質（Ｇ）と物質（Ｆ３）との複合体（Ｌ）を形成させる工程。
工程（２’）：固相担体（ａ）に固定化された測定対象物質と特異的に結合する物質（Ｄ）と標識物質（ｂ）により標識された測定対象物質（Ｆ１）又はその類似物質（Ｆ２）とをアルカリ土類金属の有機酸塩（Ｃ）の含有量が０．０５ｍＭ〜１５ｍＭである溶液中で反応させて、物質（Ｄ）と物質（Ｆ１）又は（Ｆ２）との複合体（Ｍ）を形成させる工程。
【００１０】
工程（２）及び工程（２’）における反応を、アルカリ土類金属の有機酸塩（Ｃ）の存在下で行うことにより、固相担体表面（例えば磁性シリカ粒子表面）、固相担体に固定化した物質（Ｄ）及び反応容器内壁への測定対象物質（Ｇ）の非特定的反応を減少させ、正確性の高い免疫測定が可能となる。
【００１１】
本発明の免疫測定方法の測定の対象となる試料中の測定対象物質（Ｇ）としては、一般的に免疫測定の分野で測定されるものであれば特に限定はされず、例えば血清、血液、血漿、尿等の生体体液、リンパ液、血球、各種細胞類等の生体由来の試料中に含まれるタンパク質、脂質タンパク質、核酸、免疫グロブリン、血液凝固関連因子、抗体、酵素、ホルモン、癌マーカー、心疾患マーカー及び各種薬物等が代表的なものとして挙げられる。更に具体的には、例えばアルブミン、ヘモグロビン、ミオグロビン、トランスフェリン、プロテインＡ、Ｃ反応性蛋白質（ＣＲＰ）等のタンパク質、例えば高比重リポ蛋白質（ＨＤＬ）、低比重リポ蛋白質（ＬＤＬ）、超低比重リポ蛋白質等の脂質蛋白質、例えばデオキシリボ核酸（ＤＮＡ）、リボ核酸（ＲＮＡ）等の核酸、例えばアルカリ性ホスファターゼ、アミラーゼ、酸性ホスファターゼ、γ−グルタミルトランスフェラーゼ（γ−ＧＴＰ）、リパーゼ、クレアチンキナーゼ（ＣＫ）、乳酸脱水素酵素（ＬＤＨ）、グルタミン酸オキザロ酢酸トランスアミナーゼ（ＧＯＴ）、グルタミン酸ピルビン酸トランスアミナーゼ（ＧＰＴ）、レニン、プロテインキナーゼ（ＰＫ）、チロシンキナーゼ等の酵素、例えばＩｇＧ、ＩｇＭ、ＩｇＡ、ＩｇＤ、ＩｇＥ等の免疫グロブリン（或はこれらの、例えばＦｃ部、Ｆａｂ部、Ｆ（ａｂ）２部等の断片）、例えばフィブリノーゲン、フィブリン分解産物（ＦＤＰ）、プロトロンビン、トロンビン等の血液凝固関連因子、例えば抗ストレプトリジンＯ抗体、抗ヒトＨ．ピロリ抗体、抗ヒトＢ型肝炎ウイルス表面抗原抗体（抗ＨＢｓ抗原抗体）、抗ヒトＢ型肝炎コア抗原抗体（抗ＨＢｃ抗体）抗ヒトＣ型肝炎ウイルス抗体、抗リュウマチ因子等の抗体、例えばＢ型肝炎ウィルス表面抗原（ＨＢｓＡｇ）、例えば甲状腺刺激ホルモン（ＴＳＨ）、甲状腺ホルモン（ＦＴ３、ＦＴ４、Ｔ３、Ｔ４）、副甲状腺ホルモン（ＰＴＨ）、副腎皮質刺激ホルモン（ＡＣＴＨ）、ヒト絨毛性ゴナドトロピン（ｈＣＧ）、エストラジオール（Ｅ２）、コルチゾール、アルドステロン等のホルモン、例えばα−フェトプロテイン（ＡＦＰ）、癌胎児性抗原（ＣＥＡ）、ＣＡ１９−９、前立腺特異抗原（ＰＳＡ）等の癌マーカー、例えばトロポニンＴ（ＴｎＴ）、ヒト脳性ナトリウム利尿ペプチド前駆体Ｎ端フラグメント（ＮＴ−ｐｒｏＢＮＰ）等の心疾患マーカー、例えば抗てんかん薬、抗生物質、テオフィリン等の薬物等が挙げられる。上記したものの中でも、抗体、ホルモン、癌マーカー、心疾患マーカー等が好ましい。
【００１２】
本発明の免疫測定方法には、測定対象物質と特異的に結合する物質（Ｄ）を固定化した固相担体（ａ）を含有する固相担体試薬（Ａ）が用いられる。
【００１３】
固相担体（ａ）としては、一般的に免疫測定の分野で測定されるものであれば特に限定はされず、例えばガラスビーズ、ポリスチレンビーズ、磁性粒子（ａ１）、マイクロプレート、ラテックス等が代表的なものとして挙げられる。これらの内、免疫測定における測定時間の短時間化及び正確性の観点から、特開２０１４−２１０６８０号公報及び特開２０１３−０１９８８９号公報に記載の磁性シリカ粒子（ａ１１）を用いることが好ましい。
【００１４】
磁性シリカ粒子（ａ１１）としては、シリカのマトリックス中に体積平均粒子径が１〜２０ｎｍで超常磁性を有する金属酸化物を分散されているものが好ましい。超常磁性とは、外部磁場の存在下で物質の個々の原子磁気モーメントが整列し誘発された一時的な磁場を示し、外部磁場を取り除くと、部分的な整列が損なわれ磁場を示さなくなることをいう。
尚、本発明における金属酸化物及び後述の磁性シリカ粒子の体積平均粒子径は、任意の２００個の粒子について走査型電子顕微鏡（日本電子株式会社製「ＪＳＭ−７０００Ｆ」）で観察して測定された粒子径の平均値である。
【００１５】
体積平均粒子径が１〜２０ｎｍで超常磁性を示す超常磁性金属酸化物としては、鉄、コバルト、ニッケル及びこれらの合金等の酸化物が挙げられるが、磁界に対する感応性が優れていることから、酸化鉄が特に好ましい。超常磁性金属酸化物は、１種を単独で用いても２種以上を併用してもよい。
【００１６】
酸化鉄としては、公知の種々の酸化鉄を用いることができる。
酸化鉄の内、特に化学的な安定性に優れることから、マグネタイト、γ−ヘマタイト、マグネタイト−α−ヘマタイト中間酸化鉄及びγ−ヘマタイト−α−ヘマタイト中間酸化鉄からなる群から選ばれる少なくとも１種が好ましく、大きな飽和磁化を有し、外部磁場に対する感応性が優れていることから、マグネタイトが更に好ましい。
【００１７】
磁性シリカ粒子（ａ１１）中の超常磁性金属酸化物の含有量の下限は、磁性シリカ粒子（ａ１１）の重量を基準として、６０重量％が好ましく、更に好ましくは６５重量％であり、上限は９５重量％が好ましく、更に好ましくは８０重量％である。
超常磁性金属酸化物の含有量が６０重量％以上であると、得られた磁性シリカ粒子（ａ１１）の磁性が十分であり、実際の用途面における分離操作を短時間で行えるので好ましい。また、９５重量％以下であると、合成が容易である。
【００１８】
超常磁性金属酸化物の製造方法は、特に限定されないが、Ｍａｓｓａｒｔにより報告されたものをベースとして水溶性鉄塩及びアンモニアを用いる共沈殿法（Ｒ．Ｍａｓｓａｒｔ，ＩＥＥＥ  Ｔｒａｎｓ．Ｍａｇｎ．１９８１，１７，１２４７）や水溶性鉄塩の水溶液中の酸化反応を用いた方法により合成することができる。
【００１９】
磁性シリカ粒子（ａ１１）の体積平均粒子径は、好ましくは１〜５μｍ、更に好ましくは１〜３μｍである。
体積平均粒子径が１μｍ以上であると、分離回収を短時間で行える傾向にあり、５μｍ以下であると、表面積が適度であり、固定化する物質［測定対象物質と特異的に結合する物質（Ｄ）］の結合量を適度にすることができ、結合効率がよい。
【００２０】
磁性シリカ粒子（ａ１１）の体積平均粒子径は、後述の水中油型エマルションを作製する際の混合条件（せん断力等）を調節して水中油型エマルションの粒子径を調整することにより制御することができる。また、磁性シリカ粒子製造時の水洗工程の条件変更や通常の分級等の方法によっても体積平均粒子径を所望の値とすることができる。
【００２１】
本発明における磁性シリカ粒子（ａ１１）は、例えば体積平均粒子径が１〜２０ｎｍの超常磁性金属酸化物粒子、前記超常磁性金属酸化物粒子の重量に基づいて３０〜５００重量％の（アルキル）アルコキシシラン及び分散剤を含有する分散液と、水、水溶性有機溶媒、非イオン性界面活性剤及び（アルキル）アルコキシシランの加水分解用触媒を含有する溶液とを混合して水中油型エマルションを形成後、（アルキル）アルコキシシランの加水分解反応及び縮合反応を行い、超常磁性金属酸化物がシリカに包含された磁性シリカ粒子の水性分散体が得た後、磁性シリカ粒子の水性分散体を遠心分離及び／又は集磁により固液分離し、水又はメタノール等で洗浄することにより得られる。
上記及び以下において、（アルキル）アルコキシシランとは、アルキルアルコキシシラン又はアルコキシシランを意味する。
【００２２】
磁性シリカ粒子（ａ１１）は、超常磁性金属酸化物がシリカに包含され、粒子表面に存在しないことから、多くの測定対象物質と特異的に結合する物質（Ｄ）をその表面に固定化することができる。
【００２３】
固相担体（好ましくは磁性シリカ粒子）に、測定対象物質と特異的に結合する物質（Ｄ）を固定化する方法としては、上述の固相担体に物質（Ｄ）を物理吸着させる方法が挙げられるが、より効率良く物質（Ｄ）を固定化させる観点から、グルタルアルデヒド、アルブミン、カルボジイミド、ストレプトアビジン、ビオチン及び官能基を有するアルキルアルコキシシランからなる群から選ばれる少なくとも１種の有機化合物を固相担体表面に結合させ、それらを介して物質（Ｄ）を固相担体に固定化させることが好ましい。
これらの有機化合物の内、特定の物質（Ｄ）を結合させる観点から、官能基を有するアルキルアルコキシシランが更に好ましい。
【００２４】
本発明における測定対象物質と特異的に結合する物質（Ｄ）としては、例えば「抗原」−「抗体」間反応、「糖鎖」−「タンパク質」間反応、「糖鎖」−「レクチン」間反応、「酵素」−「インヒビター」間反応、「タンパク質」−「ペプチド鎖」間反応又は「染色体又はヌクレオチド鎖」−「ヌクレオチド鎖」間反応、「ヌクレオチド鎖」−「タンパク質」間反応等の相互反応によって試料中の測定対象物質（Ｇ）又はその類似物質と結合するもの等が挙げられ、上記各組合せにおいて何れか一方が測定対象物質（Ｇ）又はその類似物質である場合、他の一方がこの測定対象物質と特異的に結合する物質（Ｄ）である。例えば、測定対象物質（Ｇ）又はその類似物質が「抗原」であるときは測定対象物質と特異的に結合する物質（Ｄ）は「抗体」であり、測定対象物質（Ｇ）又はその類似物質が「抗体」であるときは測定対象物質と特異的に結合する物質（Ｄ）は「抗原」である（以下、その他の上記各組合せにおいても同様である）。
【００２５】
上記における測定対象物質（Ｇ）の類似物質（アナログ）は、測定対象物質と特異的に結合する物質（Ｄ）が有する測定対象物質（Ｇ）との結合部位と結合し得るもの、言い換えれば、測定対象物質（Ｇ）が有する測定対象物質と特異的に結合する物質（Ｄ）との結合部位を有するもの、更に言い換えれば、測定対象物質（Ｇ）と測定対象物質と特異的に結合する物質（Ｄ）との反応時に共存させると（Ｇ）と（Ｄ）との反応と競合し得るものであれば何れでもよい。
【００２６】
測定対象物質と特異的に結合する物質（Ｄ）の具体例としては、ヌクレオチド鎖（オリゴヌクレオチド鎖、ポリヌクレオチド鎖）；染色体；ペプチド鎖（例えばＣ−ペプチド、アンジオテンシンＩ等）、タンパク質〔例えばプロカルシトニン、免疫グロブリンＡ（ＩｇＡ）、免疫グロブリンＥ（ＩｇＥ）、免疫グロブリンＧ（ＩｇＧ）、免疫グロブリンＭ（ＩｇＭ）、免疫グロブリンＤ（ＩｇＤ）、β２−ミクログロブリン、アルブミン、これらの分解産物、フェリチン等の血清タンパク質〕；酵素〔例えばアミラーゼ（例えば膵型、唾液腺型、Ｘ型等）、アルカリホスファターゼ（例えば肝性、骨性、胎盤性、小腸性等）、酸性ホスファターゼ（例えばＰＡＰ等）、γ−グルタミルトランスファラーゼ（例えば腎性、膵性、肝性等）、リパーゼ（例えば膵型、胃型等）、クレアチンキナーゼ（例えばＣＫ−１、ＣＫ−２、ｍＣＫ等）、乳酸脱水素酵素（例えばＬＤＨ１〜ＬＤＨ５等）、グルタミン酸オキザロ酢酸トランスアミナーゼ（例えばＡＳＴｍ、ＡＳＴｓ等）、グルタミン酸ピルビン酸トランスアミナーゼ（例えばＡＬＴｍ、ＡＬＴｓ等）、コリンエステラーゼ（例えばＣｈＥ１〜ＣｈＥ５等）、ロイシンアミノペプチダーゼ（例えばＣ−ＬＡＰ、ＡＡ、ＣＡＰ等）、レニン、プロテインキナーゼ、チロシンキナーゼ等〕及びこれら酵素のインヒビター、ホルモン（例えばＰＴＨ、ＴＳＨ、インシュリン、ＬＨ、ＦＳＨ、プロラクチン等）、レセプター（例えばエストロゲン、ＴＳＨ等に対するレセプター）；リガンド（例えばエストロゲン、ＴＳＨ等）；例えば細菌（例えば結核菌、肺炎球菌、ジフテリア菌、髄膜炎菌、淋菌、ブドウ球菌、レンサ球菌、腸内細菌、大腸菌、ヘリコバクター・ピロリ等）、ウイルス（例えばルベラウイルス、ヘルペスウイルス、肝炎ウイルス、ＡＴＬウイルス、ＡＩＤＳウイルス、インフルエンザウイルス、アデノウイルス、エンテロウイルス、ポリオウイルス、ＥＢウイルス、ＨＡＶ、ＨＢＶ、ＨＣＶ、ＨＩＶ、ＨＴＬＶ等）、真菌（例えばカンジダ、クリプトコッカス等）、スピロヘータ（例えばレプトスピラ、梅毒トレポネーマ等）、クラミジア、マイコプラズマ等の微生物；当該微生物に由来するタンパク質又はペプチド或いは糖鎖抗原；気管支喘息、アレルギー性鼻炎、アトピー性皮膚炎等のアレルギーの原因となる各種アレルゲン（例えばハウスダスト、例えばコナヒョウダニ、ヤケヒョウダニ等のダニ類、例えばスギ、ヒノキ、スズメノヒエ、ブタクサ、オオアワガエリ、ハルガヤ、ライムギ等の花粉、例えばネコ、イヌ、カニ等の動物、例えば米、卵白等の食物、真菌、昆虫、木材、薬剤、化学物質等に由来するアレルゲン等）；脂質（例えばリポタンパク質等）；プロテアーゼ（例えばトリプシン、プラスミン、セリンプロテアーゼ等）；腫瘍マーカータンパク抗原（例えばＰＳＡ、ＰＧＩ、ＰＧＩＩ等）；糖鎖抗原〔例えばＡＦＰ（例えばＬ１からＬ３等）、ｈＣＧ（ｈＣＧファミリー）、トランスフェリン、ＩｇＧ、サイログロブリン、Ｄｅｃａｙ−ａｃｃｅｌｅｒａｔｉｎｇ−ｆａｃｔｏｒ（ＤＡＦ）、癌胎児性抗原（例えばＣＥＡ、ＮＣＡ、ＮＣＡ−２、ＮＦＡ等）、ＣＡ１９−９、ＰＩＶＫＡ−ＩＩ、ＣＡ１２５、前立腺特異抗原、癌細胞が産生する特殊な糖��を有する腫瘍マーカー糖鎖抗原、ＡＢＯ糖鎖抗原等〕；糖鎖（例えばヒアルロン酸、β−グルカン、上記糖鎖抗原等が有する糖鎖等）；糖鎖に結合するタンパク質（例えばヒアルロン酸結合タンパク、βグルカン結合タンパク等）；リン脂質（例えばカルジオリピン等）；リポ多糖（例えばエンドトキシン等）；化学物質（例えばＴ３、Ｔ４、例えばトリブチルスズ、ノニルフェノール、４−オクチルフェノール、フタル酸ジ−ｎ−ブチル、フタル酸ジシクロヘキシル、ベンゾフェノン、オクタクロロスチレン、フタル酸ジ−２−エチルヘキシル等の環境ホルモン）；人体に投与・接種される各種薬剤及びこれらの代謝物；アプタマー；核酸結合性物質；及びこれらに対する抗体等が挙げられる。
尚、本発明において用いられる抗体には、パパインやペプシン等の蛋白質分解酵素、或いは化学的分解により生じるＦａｂ、Ｆ（ａｂ’）２フラグメント等の分解産物も包含される。
【００２７】
測定対象物質と特異的に結合する物質（Ｄ）としては、「抗原」−「抗体」間反応或いは「糖鎖−タンパク質」間反応によって測定対象物質又はその類似物質と結合するものが好ましい。具体的には、測定対象物質又はその類似物質に対する抗体、測定対象物質又はその類似物質が結合する抗原、或いは、測定対象物質又はその類似物質に結合するタンパク質が好ましく、測定対象物質又はその類似物質に対する抗体、或いは測定対象物質又はその類似物質に結合するタンパク質が更に好ましい。
【００２８】
固相担体試薬（Ａ）中の固相担体（ａ）の含有量は、粒子の洗浄性の観点から、０．００１〜１０重量％が好ましく、更に好ましくは０．０１〜１重量％である。
【００２９】
固相担体試薬（Ａ）中には、固相担体（ａ）以外に、ゼラチン、ゼラチン以外のタンパク質、糖類、界面活性剤及び無機塩を含有してもよい。
【００３０】
ゼラチンとしては、公知のゼラチンが含まれ、分子量及び性状に限定はなく、いかなる動物（ホ乳類、鳥類及び魚類等）から取得したものであってもよい。
ゼラチンとしては、例えばコラーゲンを酸又はアルカリによる化学処理後、加熱処理して製造した酸処理ゼラチン及びアルカリ処理ゼラチン等が挙げられる。更にこのゼラチンをアミノ基、イミノ基、カルボキシル基、メルカプト基及び水酸基等の官能基を周知の方法を利用し導入し、化学的に修飾したゼラチン誘導体を用いることもできる。
ゼラチンの含有量は、固相担体試薬（Ａ）の保存安定性の観点から、固相担体試薬（Ａ）の重量を基準として、１〜８重量％が好ましく、更に好ましくは２〜５重量％である。
【００３１】
ゼラチン以外のタンパク質としては、一般的に免疫測定の分野で測定されるものであれば特に限定はされず、例えば、ウシ血清アルブミン（ＢＳＡ）、カゼイン及びスキムミルク等が挙げられる。タンパク質は、１種を単独で用いても２種以上を併用してもよい。
タンパク質の含有量は、固相担体試薬（Ａ）の保存安定性の観点から、固相担体試薬（Ａ）の重量を基準として、０〜５重量％が好ましく、更に好ましくは０．１〜３重量％である。
【００３２】
糖類としては、単糖類、二糖類及び多糖類が含まれる。
単糖類としては、トリオース（ケトトリオース等）、テトロース（ケトテトロース等）、ペントース（ケトペントース、アルドペントース及びデオキシ糖類等）、ヘキソース［ケトヘキソース（プシコース、フルクトース、ソルボース及びタガトース等）、アルドヘキソース（アロース、アルトロース、グルコース、マンノース、グロース、イドース、ガラクトース及びタロース等）及びデオキシ糖（フコース、フクロース及びラムノース等）等］並びにヘプトース（セドヘプツロース等）等が挙げられる。
二糖類としては、上記単糖類の内、２分子が脱水縮合してグリコシド結合を形成したものが含まれ、具体的には、スクロース、ラクトース、マルトース及びセロビオース等が挙げられる。
多糖類としては、上記単糖類の内、３分子以上が脱水縮合してグリコシド結合を形成したものが含まれ、具体的には、アミロース、アミロペクチン、グリコーゲン、セルロース、ヒアルロン酸、コンドロイチン硫酸及びヘパリンが挙げられる。
糖類は、１種を単独で用いても２種以上を併用してもよい。
糖類としては、固相担体試薬（Ａ）の保存安定性の観点から、二糖類が好ましく、更に好ましくはスクロース及びラクトースである。
糖類の含有量は、固相担体試薬（Ａ）の保存安定性の観点から、固相担体試薬（Ａ）の重量を基準として、５〜４０重量％が好ましく、更に好ましくは１０〜２０重量％である。
【００３３】
無機塩としては、アルカリ金属塩［ハロゲン化物（塩化ナトリウム、塩化カリウム、臭化ナトリウム及びフッ化ナトリウム等）、硫酸塩（硫酸ナトリウム及び硫酸カリウム等）、硝酸塩（硝酸ナトリウム及び硝酸カリウム等）及びリン酸塩（リン酸ナトリウム及びリン酸カリウム等）］、アルカリ土類金属塩［ハロゲン化物（塩化カルシウム及び塩化マグネシウム等）及び硫酸塩（硫酸マグネシウム等）］等が挙げられる。
無機塩は、１種を単独で用いても２種以上を併用してもよい。
これらの内、固相担体試薬（Ａ）の保存安定性の観点から、塩化ナトリウム、塩化カリウム、塩化マグネシウム、硫酸ナトリウム、硫酸カリウム、硝酸ナトリウム及び硝酸カリウムからなる群から選ばれる少なくとも１種が好ましい。
無機塩の含有量は、固相担体試薬（Ａ）の保存安定性の観点から、固相担体試薬（Ａ）の重量を基準として、０．１〜２重量％が好ましく、更に好ましくは０．５〜１重量％である。
【００３４】
本発明の免疫測定方法には、標識物質（ｂ）により標識された測定対象物質（Ｆ１）、標識物質（ｂ）により標識された測定対象物質の類似物質（Ｆ２）又は標識物質（ｂ）により標識された測定対象物質と特異的に結合する物質（Ｆ３）を含有する標識試薬（Ｂ）が用いられる。
【００３５】
標識物質（ｂ）により標識された測定対象物質（Ｆ１）に用いられる測定対象物質としては、上述の測定対象物質（Ｇ）と同様のものが挙げられ、好ましいものも同様である。
標識物質（ｂ）により標識された測定対象物質の類似物質（Ｆ２）に用いられる測定対象物質の類似物質としては、上述の測定対象物質（Ｇ）の類似物質と同様のものが挙げられる。
標識物質（ｂ）により標識された測定対象物質と特異的に結合する物質（Ｆ３）に用いられる測定対象物質と特異的に結合する物質としては、上述の測定対象物質と特異的に結合する物質（Ｄ）と同様のものが挙げられ、好ましいものも同様である。
【００３６】
標識するために用いられる標識物質（ｂ）としては、例えば酵素免疫測定法（ＥＩＡ）において用いられるアルカリホスファターゼ、β−ガラクトシダーゼ、ペルオキシダーゼ、マイクロペルオキシダーゼ、グルコースオキシダーゼ、グルコース−６−リン酸脱水素酵素、リンゴ酸脱水素酵素、ルシフェラーゼ、チロシナーゼ、酸性ホスファターゼ等の酵素類、例えば放射免疫測定法（ＲＩＡ）において用いられる９９ｍＴｃ、１３１Ｉ、１２５Ｉ、１４Ｃ、３Ｈ、３２Ｐ等の放射性同位元素、例えば蛍光免疫測定法（ＦＩＡ）において用いられるフルオレセイン、ダンシル、フルオレスカミン、クマリン、ナフチルアミン又はこれらの誘導体、グリーン蛍光タンパク質（ＧＦＰ）等の蛍光性物質、例えばルシフェリン、イソルミノール、ルミノール、ビス（２，４，６−トリフロロフェニル）オキザレート等の発光性物質、例えばフェノール、ナフトール、アントラセン又はこれらの誘導体等の紫外部に吸収を有する物質、例えば４−アミノ−２，２，６，６−テトラメチルピペリジン−１−オキシル、３−アミノ−２，２，５，５−テトラメチルピロリジン−１−オキシル、２，６−ジ−ｔ−ブチル−α−（３，５−ジ−ｔ−ブチル−４−オキソ−２，５−シクロヘキサジエン−１−イリデン）−ｐ−トリオキシル等のオキシル基を有する化合物に代表されるスピンラベル化剤としての性質を有する物質等が挙げられる。
これらの内、感度等の観点から、酵素、蛍光性物質が好ましく、更に好ましいのはアルカリホスファターゼ、ペルオキシダーゼ及びグルコースオキシダーゼであり、特に好ましいのはペルオキシダーゼである。
【００３７】
標識物質（ｂ）を測定対象物質、測定対象物質の類似物質及び測定対象物質と特異的に結合する物質に結合させるには、一般的に免疫測定の分野で用いられる方法、例えば公知のＥＩＡ、ＲＩＡ或はＦＩＡ等において一般に行われている公知の標識方法［例えば、医化学実験講座、第８巻、山村雄一監修、第１版、中山書店、１９７１；図説  蛍光抗体、川生明著、第１版、（株）ソフトサイエンス社、１９８３；酵素免疫測定法、石川栄治、河合忠、室井潔編、第２版、医学書院、１９８２等］等を利用すればよい。
【００３８】
標識物質（ｂ）の使用量は、用いる標識物質（ｂ）の種類により異なるため一概には言えないが、例えばＰＯＤを標識物質（ｂ）として使用する場合には、測定対象物質、測定対象物質の類似物質又は測定対象物質と特異的に結合する物質と標識物質（ｂ）とを、例えば好ましくは１：１〜２０（更に好ましくは１：１〜１０、特に好ましくは１：１〜２）のモル比となるように、緩衝液中に含有させて用いればよい。
緩衝液としては、一般的に免疫測定の分野で用いられている、例えばトリス緩衝液、リン酸緩衝液、ベロナール緩衝液、ホウ酸緩衝液及びグッド緩衝液等が挙げられ、そのｐＨは、抗原抗体反応を抑制しない範囲であればよく、５〜９が好ましい。
また、このような緩衝液中には、目的の抗原抗体反応を阻害しないものであれば、例えばアルブミン、グロブリン、水溶性ゼラチン、ポリエチレングリコール等の安定化剤、界面活性剤及び糖類等を含有させておいてもよい。
【００３９】
標識試薬（Ｂ）中の標識物質（ｂ）により標識された測定対象物質（Ｆ１）、標識物質（ｂ）により標識された測定対象物質の類似物質（Ｆ２）及び標識物質（ｂ）により標識された測定対象物質と特異的に結合する物質（Ｆ３）の含有量は、感度の観点から、それぞれ０．０１〜４０μｇ／ｍＬが好ましく、更に好ましくは０．１〜２０μｇ／ｍＬである。
【００４０】
本発明におけるアルカリ土類金属の有機酸塩（Ｃ）を構成するアルカリ土類金属としては、ベリリウム、マグネシウム、カルシウム、ストロンチウム、バリウム及びラジウム等が挙げられる。
アルカリ土類金属としては、非特異反応の低減の観点から、マグネシウム及びカルシウムが好ましく、特にマグネシウムが好ましい。
有機酸塩（Ｃ）を構成する有機酸としては、炭素数１〜５の有機酸、具体的には、カルボン酸｛炭素数１〜５のモノカルボン酸（ギ酸、酢酸、プロピオン酸、酪酸及びイソ酪酸等）、炭素数２〜５のポリカルボン酸（２〜３価のものが含まれ、具体的にはシュウ酸、シュウ酸、マロン酸及びコハク酸等）等｝並びにスルホン酸（炭素数１〜５のものが含まれ、具体的には、メタンスルホン酸、エタンスルホン酸、ブタンスルホン酸及びオクタンスルホン酸等）等が挙げられる。
有機酸としては、水への溶解性の観点から、炭素数１〜５の有機酸が好ましく、更に好ましいのは炭素数１〜５のカルボン酸であり、更に好ましいのはギ酸、酢酸及びシュウ酸であり、特に好ましいのは酢酸である。
有機酸塩（Ｃ）としては、水への溶解性の観点から、ギ酸マグネシウム、酢酸マグネシウム及びシュウ酸マグネシウムからなる群から選ばれる少なくとも１種が好ましく、更に好ましいのは酢酸マグネシウムである。
アルカリ土類金属の有機酸塩（Ｃ）は、１種を単独で用いても２種以上を併用してもよい。
【００４１】
標識試薬（Ｂ）は、上記以外に、タンパク質、界面活性剤及び高分子化合物を含んでいてもよい。
タンパク質としては、一般的に免疫測定の分野で測定されるものであれば特に限定はされず、例えば、ウシ血清アルブミン（ＢＳＡ）、カゼイン、スキムミルク等が挙げられる。タンパク質は、１種を単独で用いても２種以上を併用してもよい。
タンパク質の含有量は、感度及び試薬の保存安定性の観点から、標識試薬（Ｂ）の重量を基準として、０．００１〜８重量％が好ましい。
【００４２】
界面活性剤としては、公知の非イオン界面活性剤、両性界面活性剤及びアニオン界面活性剤等が挙げられが、界面活性剤としては、非特異反応の低減の観点から、水溶性の非イオン界面活性剤が好ましい。
尚、水溶性とは、２５℃の水１００ｇに１０ｇ溶解することを意味する。
水溶性の非イオン界面活性剤として、具体的には、ＨＬＢが１２以上のポリオキシエチレンノニルフェニルエーテル、ポリオキシエチレンオクチルエーテル、ポリオキシエチレンアルキルエーテル及びポリオキシエチレンソルビタン脂肪族エステル等が挙げられる。
界面活性剤の含有量は、粒子の洗浄性の観点から、標識試薬（Ｂ）の重量を基準として、０．００１〜４重量％である。
【００４３】
高分子化合物としては、一般的に免疫測定の分野で使用されるものであれば特に限定はされず、例えば、ポリエチレングリコール、ポリビニルアルコール、ポリビニルピロリドン、Ｂｌｏｃｋｍａｓｔｅｒ（ＪＳＲ（株）製）及びＬｉｐｉｄｕｒｅ（日油（株）製）が挙げられる。
高分子化合物は、１種を単独で用いても２種以上を併用してもよい。
高分子化合物の含有量は、非特異的反応の抑制の観点から、標識試薬（Ｂ）の重量を基準として、高分子化合物の純分が、０．００１〜３重量％であることが好ましく、更に好ましくは０．５〜１重量％である。
【００４４】
本発明の免疫測定方法は、上記工程（１）［測定対象物質と特異的に結合する物質（Ｄ）を固定化した固相担体（ａ）と測定対象物質（Ｇ）とを反応させて、物質（Ｄ）と測定対象物質（Ｇ）との複合体（Ｊ）を形成させる工程］を含み、更に工程（２）［標識物質（ｂ）により標識された測定対象物質と特異的に結合する物質（Ｆ３）と複合体（Ｊ）とを反応させて、物質（Ｄ）と測定対象物質（Ｇ）と物質（Ｆ３）との複合体（Ｌ）を形成させる工程］又は工程（２’）［固相担体（ａ）に固定化された測定対象物質と特異的に結合する物質（Ｄ）と標識物質（ｂ）により標識された測定対象物質（Ｆ１）又はその類似物質（Ｆ２）とを反応させて、物質（Ｄ）と物質（Ｆ１）又は（Ｆ２）との複合体（Ｍ）を形成させる工程］を含む方法である限り、試料中の測定対象物質（Ｇ）を定量する免疫測定方法として免疫測定の分野で一般的に行われる方法に用いることができ、具体的には、文献［例えば、酵素免疫測定法第２版（石川栄治ら編集、医学書院）１９８２年］記載のサンドイッチ法、競合法及び特開平６−１３００６３号公報記載の免疫測定方法に用いることができる。
【００４５】
本発明の免疫測定方法をサンドイッチ法に適用する具体例としては以下の方法が挙げられる。即ち、本発明における工程（１）として、測定対象物質（Ｇ）を含む試料と、測定対象物質と特異的に結合する物質（Ｄ）を表面に固定化した磁性シリカ粒子（ａ１１）｛固相担体試薬（Ａ）中の固相担体（ａ）｝とを接触させて、磁性シリカ粒子（ａ１１）表面に測定対象物質と特異的に結合する物質（Ｄ）と測定対象物質（Ｇ）との複合体（Ｊ）を形成させ、複合体（Ｊ）が固定化された磁性シリカ粒子（ａ１１）をＢ／Ｆ分離した後、本発明における工程（２）として、前記複合体（Ｊ）に標識された測定対象物質と特異的に結合する物質（Ｆ３）｛標識試薬（Ｂ）｝をアルカリ土類金属の有機酸塩（Ｃ）の存在下で接触させて、磁性シリカ粒子（ａ１１）に固定化された測定対象物質と特異的に結合する物質（Ｄ）と測定対象物質（Ｇ）と標識された測定対象物質と特異的に結合する物質（Ｆ３）との複合体｛（Ｄ）／（Ｇ）／（Ｆ３）｝［複合体（Ｌ）］を形成させ、複合体（Ｌ）をＢ／Ｆ分離して、複合体（Ｌ）中の標識物質（ｂ）量を測定し、その結果に基づいて試料中の測定対象物質量が測定される。
【００４６】
本発明の免疫測定方法を競合法法に適用する具体例としては以下の方法が挙げられる。即ち、本発明における工程（１）として、測定対象物質（Ｇ）を含む試料と、測定対象物質と特異的に結合する物質（Ｄ）を表面に固定化した磁性シリカ粒子（ａ１１）｛固相担体試薬（Ａ）中の固相担体（ａ）｝とを接触させて、磁性シリカ粒子（ａ１１）表面に測定対象物質と特異的に結合する物質（Ｄ）と測定対象物質（Ｇ）との複合体（Ｊ）を形成させ、Ｂ／Ｆ分離した後、本発明における工程（２’）として、磁性シリカ粒子（ａ１１）に固定化された（Ｇ）と反応していない物質（Ｄ）と標識物質（ｂ）により標識された測定対象物質（Ｆ１）又はその類似物質（Ｆ２）とをアルカリ土類金属の有機酸塩（Ｃ）の存在下で接触させて、磁性シリカ粒子（ａ１１）に固定化された測定対象物質と特異的に結合する物質（Ｄ）と標識物質（ｂ）により標識された測定対象物質（Ｆ１）又はその類似物質（Ｆ２）との複合体｛（Ｄ）／（Ｆ１）又は（Ｆ２）｝［複合体（Ｍ）］を形成させ、複合体（Ｊ）と複合体（Ｍ）とが固定化された磁性シリカ粒子（ａ１１）をＢ／Ｆ分離して、複合体（Ｍ）中の標識物質（ｂ）量を測定し、その結果に基づいて試料中の測定対象物質量が測定される。
【００４７】
本発明の免疫測定方法における工程（２）及び工程（２’）における反応液中のアルカリ土類金属の有機酸塩（Ｃ）の濃度は、反応液の重量を基準として、０．０５ｍＭ〜１５ｍＭであり、非特異反応の低減の観点から、０．２ｍＭ〜５．０ｍＭが好ましく、更に好ましくは０．５ｍＭ〜２．５ｍＭである。
（Ｃ）の含有量が０．０５ｍＭ未満であると、非特異反応を低減できず、正確性が低くなるという問題がある。また、１５ｍＭより大きいと、非特異反応が低減できず、正確性が低くなり、更に感度が低くなるという問題がある。
【００４８】
アルカリ土類金属の有機酸塩（Ｃ）は、予め標識試薬（Ｂ）に混合しておいてもよいし、工程（２）及び工程（２’）で標識試薬（Ｂ）を添加する際に（Ｂ）とは別に添加してもよいが、測定の正確性の観点から予め標識試薬（Ｂ）に添加しておくことが好ましい。また、（Ｂ）と事前混合せずに（Ｃ）を用いる場合、水や上記緩衝液等と混合して用いてもよい。
【００４９】
上記工程（２）及び工程（２’）における固相担体（ａ）に対するアルカリ土類金属の有機酸（Ｃ）の重量比率［（Ｃ）／（ａ）］）は、非特異反応の低減の観点から、０．０４〜１．１０が好ましく、更に好ましくは０．１１〜０．５４である。
【００５０】
本発明の免疫測定方法は、測定対象物質（Ｇ）がＰＩＶＫＡ−ＩＩであり、物質（Ｄ）が抗ＰＩＶＫＡ−ＩＩモノクローナル抗体であり、測定対象物質と特異的に結合する物質（Ｆ３）が標識物質（ｂ）で標識された抗プロトロンビン抗体である場合に特に測定の正確性が高くなる。
【００５１】
標識物質（ｂ）又はその活性の測定方法としては、放射免疫測定法（ＲＩＡ）、酵素免疫測定法（ＥＩＡ）、蛍光免疫測定法（ＦＩＡ）及び化学発光免疫測定法（ＣＬＩＡ及びＣＬＥＩＡ）が挙げられ、短時間での免疫測定における感度の観点から好ましいのはＥＩＡ、ＣＬＩＡ及びＣＬＥＩＡであり、更に好ましいのはＣＬＥＩＡである。
【００５２】
例えば、標識物質量の測定を化学発光法により行う場合、化学発光試薬（Ｅ）を用いる。
化学発光試薬（Ｅ）は、上記の標識物質（ｂ）に基づき選択され、例えば、標識物質（ｂ）がペルオキシダーゼである場合、２，３−ジヒドロ−１，４−フタラジンジオン化合物及び化学発光増強剤を必須構成成分とする化学発光試薬第１液と、酸化剤及び水を必須構成成分とする化学発光試薬第２液とを含む。
【００５３】
２，３−ジヒドロ−１，４−フタラジンジオン化合物としては、例えば、特開平２−２９１２９９号公報、特開平１０−３１９０１５号公報及び特開２０００−２７９１９６号公報等に記載の公知の２，３−ジヒドロ−１，４−フタラジンジオン化合物及びこれらの混合物等が使用できる。
これらの内、ルミノール、イソルミノール、Ｎ−アミノヘキシル−Ｎ−エチルイソルミノール（ＡＨＥＩ）、Ｎ−アミノブチル−Ｎ−エチルイソルミノール（ＡＢＥＩ）及びこれらの金属塩（アルカリ金属塩等）が好ましく、更に好ましいのはルミノール及びその金属塩、特に好ましいのはルミノールのナトリウム塩である。
【００５４】
化学発光増強剤としては、例えば、特開昭５９−５００２５２号公報、特開昭５９−１７１８３９号公報及び特開平２−２９１２９９号公報等に記載の公知の化学発光増強剤及びこれらの混合物等が使用できる。これらの内、化学発光増強効果等の観点から、フェノールが好ましく、更に好ましいのはＰ−ヨードフェノール、４−（シアノメチルチオ）フェノール及び４−シアノメチルチオ−２−クロロフェノール、特に好ましいのは４−（シアノメチルチオ）フェノールである。
【００５５】
化学発光試薬第１液は、酵素の蛍光強度の観点からはアルカリ性であることが好ましく、第１液のｐＨは、７〜１１が好ましく、更に好ましくは８〜１０である。
尚、ｐＨは、ＪＩＳ  Ｋ０４００−１２−１０：２０００に準拠して測定温度２５℃で測定される。
【００５６】
化学発光試薬第２液が含有する酸化剤としては、例えば、特開平８−２６１９４３号公報及び特開２０００−２７９１９６号公報等に記載の公知の酸化剤等［無機の過酸化物（過酸化水素、過ホウ酸ナトリウム及び過ホウ酸カリウム等）、有機過酸化物（過酸化ジアルキル及び過酸化アシル等）、ペルオクソ酸化合物（ペルオクソ硫酸及びペルオクソリン酸等）等］が挙げられる。
これらの内、保存安定性等の観点から、過酸化水素、過ホウ酸ナトリウム及び過ホウ酸カリウムが好ましく、更に好ましいのは過酸化水素である。
【００５７】
本発明の免疫測定用キットは、本発明の免疫測定方法に用いられる各種試薬及びアルカリ土類金属の有機酸塩（Ｃ）を含む免疫測定用キットであって、免疫測定用試薬として固相担体試薬（Ａ）と標識試薬（Ｂ）とを含み、測定対象物質と特異的に結合する物質（Ｄ）を固定化した固相担体（ａ）を固相担体試薬（Ａ）中に含有し、標識物質（ｂ）により標識された測定対象物質（Ｆ１）、その類似物質（Ｆ２）又は標識物質（ｂ）により標識された測定対象物質と特異的に結合する物質（Ｆ３）と、アルカリ土類金属の有機酸塩（Ｃ）とを標識試薬（Ｂ）中に含有する。
【００５８】
標識試薬（Ｂ）中のアルカリ土類金属の有機酸塩（Ｃ）の含有量は、（Ｂ）の重量を基準として、０．０５ｍＭ〜１５ｍＭであることが好ましく、非特異反応の低減の観点から、更に好ましくは０．２ｍＭ〜５．０ｍＭ、特に好ましくは０．５ｍＭ〜２．５ｍＭである。
【００５９】
本発明の免疫測定用キットは、更にルミノール発光試薬（Ｅ１）及び過酸化水素液（Ｅ２）を含む化学発光試薬（Ｅ）を構成品として含むことが好ましい。
【００６０】
本発明の免疫測定用キットにおける固相担体試薬（Ａ）、標識試薬（Ｂ）、アルカリ土類金属の有機酸塩（Ｃ）、物質（Ｄ）及び化学発光試薬（Ｅ）の各構成成分の組成、含有量及びこれらの好ましい範囲等は上述の免疫測定方法で説明したものと同様である。
【実施例】
【００６１】
以下、実施例により、本発明を更に説明するが、本発明はこれに限定されるものではない。以下において部は重量部を示す。
【００６２】
＜実施例１＞
以下に示す方法により、固相担体試薬（Ａ１）（抗ＰＩＶＫＡ−ＩＩモノクローナル抗体を固定化した磁性シリカ粒子を含有）、標識試薬（Ｂ１）（ＰＯＤ標識抗プロトロンビン抗体試薬）、免疫反応緩衝液、ルミノール発光試薬（Ｅ１）及び過酸化水素液（Ｅ２）から構成される本発明の免疫測定用キット（Ｓ１）を得た。
【００６３】
磁性シリカ粒子の作製：
反応容器に塩化鉄（ＩＩＩ）６水和物１８６部、塩化鉄（ＩＩ）４水和物６８部及び水１２８８部を仕込んで溶解させて５０℃に昇温し、撹拌下温度を５０〜５５℃の保持しながら、２５重量％アンモニア水２８０部を１時間かけて滴下し、水中にマグネタイト粒子を得た。得られたマグネタイト粒子に分散剤であるオレイン酸６４部を加え、２時間撹拌を継続した。室温に冷却後、デカンテーションにより固液分離して得られたオレイン酸が吸着したマグネタイト粒子を水１０００部で洗浄する操作を３回行い、更にアセトン１０００部で洗浄する操作を２回行い、４０℃で２日間乾燥させることで、体積平均粒子径が１５ｎｍの超常磁性金属酸化物粒子を得た。
【００６４】
超常磁性金属酸化物粒子８０部をテトラエトキシシラン２４０部に加えて分散し、分散液（１）を調製した。次に、反応容器に水５０５０部、２５重量％アンモニア水溶液３５００部、非イオン界面活性剤［（三洋化成工業（株）製「ＮＳＡ−１７」］４００部を加えてクリアミックス［エムテクニック（株）製］を用いて混合し溶液（２）を得た。５０℃に昇温後、クリアミックスを回転数６，０００ｒｐｍで攪拌しながら、上記分散液（１）を溶液（２）に１時間かけて滴下後、５０℃で１時間反応させた。反応後、２，０００ｒｐｍで２０分間遠心分離して微粒子の存在する上清を除き、コア層を得た。
【００６５】
反応容器にコア層８０部、脱イオン水２５００部、２５重量％アンモニア水溶液２６０部、エタノール２５００部、テトラエトキシシラン１２００部を加えてクリアミックス［エムテクニック（株）製］を用いて混合し、クリアミックスの回転数６，０００ｒｐｍで攪拌しながら２時間反応させた。反応後、２，０００ｒｐｍで２０分間遠心分離して微粒子の存在する上清を除き、磁石を用いて粒子を集磁し上清を除く操作を１０回行った。次に、得られた固相に水５０００部を加えて粒子を分散させて６００ｒｐｍで１０分間遠心分離後、微粒子の存在する上清を除く操作を２０回行い、続いて得られた固相に水５０００部を加えて粒子を分散させて３００ｒｐｍで１０分間遠心分離することにより、大きな粒子径の粒子を沈降させて除去することで分級を行った。更に、磁石を用いて粒子を集磁し上清を除く操作を１０回行い、目的とする体積平均粒子径２．０μｍの磁性シリカ粒子を得た。得られた磁性シリカ粒子中の超常磁性金属酸化物粒子の含有量を測定した結果、含有量は８１重量％であった。
【００６６】
＜超常磁性金属酸化物粒子の含有量の測定方法＞
磁性シリカ粒子の任意の２０個について、走査型電子顕微鏡（型番ＪＳＭ−７０００Ｆ、メーカー名日本電子株式会社）で観察し、エネルギー分散型Ｘ線分光装置（型番ＩＮＣＡ  Ｗａｖｅ／Ｅｎｅｒｇｙ、メーカー名オックスフォード社）により超常磁性金属酸化物粒子の含有量を測定し、その平均値を含有量Ｓとした。また、同測定にてシリカの含有量を測定し、その平均値を含有量Ｔとした。以下の計算式（１）にて、超常磁性金属酸化物粒子の含有量を求めた。
超常磁性金属酸化物粒子の含有量（重量％）＝｛（Ｓ）／（Ｓ＋Ｔ）｝×１００・・・（１）
【００６７】
固相担体試薬（Ａ１）の作製：
１重量％γ−アミノプロピルトリエトキシシラン含有水溶液４０ｍＬの入った蓋付きポリスチレン瓶に上記で製造した磁性シリカ粒子４０ｍｇを加え、２５℃で１時間反応させ、ネオジウム磁石で磁性シリカ粒子を集磁後、液をアスピレーターで吸引除去した。次いで脱イオン水４０ｍＬを加えて蓋をし、ポリスチレン瓶をゆっくりと２回倒置攪拌した後、ネオジウム磁石で磁性シリカ粒子を集磁後、液をアスピレーターで吸引除去して磁性シリカ粒子を洗浄した。この洗浄操作を５回行った。次いで、この洗浄後の磁性シリカ粒子を２重量％グルタルアルデヒド含有水溶液４０ｍＬの入った蓋付きポリスチレン瓶に加え、２５℃で１時間反応させた。そして、脱イオン水４０ｍＬを加えて蓋をし、ポリスチレン瓶をゆっくりと２回倒置攪拌したのち、ネオジウム磁石で磁性シリカ粒子を集磁後、液をアスピレーターで吸引除去して磁性シリカ粒子を洗浄した。この洗浄操作を１０回行った。更にこの洗浄後の磁性シリカ粒子を抗ＰＩＶＫＡ−ＩＩモノクローナル抗体（Ｄ−１）［コスモ・バイオ（株）製］を１０μｇ／ｍＬの濃度で含む０．０２Ｍリン酸緩衝液（ｐＨ＝８．７）１２０ｍＬの入った蓋付きポリスチレン瓶に加え、２５℃で１時間反応させた。反応後、ネオジウム磁石で磁性シリカ粒子を集磁後、抗ＰＩＶＫＡ−ＩＩモノクローナル抗体（Ｄ−１）含有リン酸緩衝液を除去した。次いで、得られた磁性シリカ粒子を１重量％のブロックエース［ＤＳファーマバイオメディカル（株）製］含有の０．０２Ｍリン酸緩衝液（ｐＨ７．０）４０ｍＬの入った蓋付きポリエチレン瓶に４０ｍｇ加え、２５℃で１２時間浸漬させた。これにより、抗ＰＩＶＫＡ−ＩＩモノクローナル抗体（Ｄ−１）を固定化した磁性シリカ粒子を含有する固相担体試薬（Ａ１）を得た。
【００６８】
標識試薬（Ｂ１）の作製：
抗プロトロンビンモノポリクローナル抗体［（株）アットモル製］、西洋ワサビ由来ＰＯＤ［東洋紡（株）製］を用い、文献（エス・ヨシタケ、エム・イマガワ、イー・イシカワ、エトール；ジェイ．バイオケム，Ｖｏｌ．９２，１９８２，１４１３−１４２４）に記載の方法でＰＯＤで標識された抗プロトロンビン抗体（Ｆ３）を調製した。これを１．０重量％のカゼイン加水分解物［和光純薬工業（株）製］、０．５ｍＭ酢酸マグネシウム四水和物［ナカライテスク（株）製］含有の０．０２Ｍリン酸緩衝液で、ＰＯＤ標識抗プロトロンビン抗体（Ｆ３）濃度として０．５μｇ／ｍＬの濃度に希釈し、標識試薬（Ｂ１）を調製し、冷蔵（２〜１０℃）で保存した。
【００６９】
免疫反応緩衝液の作製：
ウシ血清アルブミン（Ｂｏｖａｌ  Ｃａｍｐａｎｙ製）を０．１重量％、エマルミンＬ−９０−Ｓ［三洋化成工業（株）製］を１重量％、塩化ナトリウム［和光純薬工業（株）製］を０．８５重量％を含有する０．０２Ｍリン酸緩衝液（ｐＨ７．０）を調製し、冷蔵（２〜１０℃）で保管した。
【００７０】
ルミノール発光試薬（Ｅ１）の調製：
ルミノールのナトリウム塩［シグマ  アルドリッチ  ジャパン（株）製］０．７ｇ及び４−（シアノメチルチオ）フェノール０．１ｇを１，０００ｍＬメスフラスコに仕込んだ。３−［４−（２−ヒドロキシエチル）−１−ピペラジニル］プロパンスルホン酸／水酸化ナトリウム緩衝液（１０ｍＭ、ｐＨ＝８．６）を溶液の容量が１，０００ｍＬになるように仕込み、２５℃で均一混合してルミノール発光試薬（Ｅ１）を調製した。測定に用いるまで冷蔵（２〜１０℃）保存した。
【００７１】
過酸化水素液（Ｅ２）の調製：
過酸化水素［和光純薬工業（株）製、試薬特級、濃度３０重量％］６．６ｇを１，０００ｍＬメスフラスコに仕込んだ。脱イオン水を溶液の容量が１，０００ｍＬになるように仕込み、２５℃で均一混合して過酸化水素液（Ｅ２）を調製した。測定に用いるまで冷蔵（２〜１０℃）保存した。
【００７２】
＜実施例２〜５＞
実施例１の「標識試薬（Ｂ１）の作製」において、アルカリ土類金属の有機酸塩（Ｃ）の種類及び濃度を表１に記載のものとする以外は実施例１と同様にして標識試薬（Ｂ２）〜（Ｂ５）を作製し、実施例１と同じ固相担体試薬（Ａ１）、免疫反応緩衝液、ルミノール発光試薬（Ｅ１）及び過酸化水素液（Ｅ２）と組み合わせて免疫測定用キット（Ｓ２）〜（Ｓ５）とした。
【００７３】
＜比較例１〜５＞
実施例１の「標識試薬（Ｂ１）の作製」において、アルカリ土類金属の有機酸塩（Ｃ）又は無機塩の種類及び濃度を表１に記載のものとする以外は実施例１と同様にして標識試薬（Ｂ’１）〜（Ｂ’５）を作製し、実施例１と同じ固相担体試薬（Ａ１）、免疫反応緩衝液、ルミノール発光試薬（Ｅ１）及び過酸化水素液（Ｅ２）と組み合わせて比較用の免疫測定用キット（Ｓ’１）〜（Ｓ’５）とした。
【００７４】
尚、表１中、各成分は下記を用いた。
酢酸Ｍｇ：「酢酸マグネシウム四水和物」、ナカライテスク（株）製
シュウ酸Ｍｇ：「シュウ酸マグネシウム二水和物」、和光純薬工業（株）製
酢酸Ｃａ：「酢酸カルシウム一水和物」、ナカライテスク（株）製
塩化Ｍｇ：「塩化マグネシウム」、和光純薬工業（株）製
硫酸Ｍｇ：「硫酸マグネシウム」、和光純薬工業（株）製
硝酸Ｍｇ：「硝酸マグネシウム六水和物」、ナカライテスク（株）製
【００７５】
以下の方法により免疫測定用試薬（Ｓ１）〜（Ｓ５）及び（Ｓ‘１）〜（Ｓ’５）を用いて、免疫測定を行い、免疫測定用キットの正確性を評価した。正確性の結果を表１に示す。
【００７６】
＜実施例６〜１０及び比較例６〜１０＞
＜免疫測定方法＞
○工程（１）
実施例及び比較例で得られた免疫測定用キットの固相担体試薬（Ａ１）をそれぞれ０．０２５ｍＬ、試験管に入れ、試験管の外側からネオジウム磁石で磁性シリカ粒子を１０秒間集め、試験管中の液をアスピレーターで除き、ネオジウム磁石を側面から十分に離し、免疫反応緩衝液０．２ｍＬと、測定対象物質であるＰＩＶＫＡ−ＩＩ抗原（Ｇ）の濃度が２５ｍＡＵ／ｍＬになるように調製したプール血清０．０２５ｍＬとを試験管に入れて混合して、試験管中で３７℃で３分間反応させ、抗ＰＩＶＫＡ−ＩＩモノクローナル抗体固定化磁性シリカ粒子上の抗ＰＩＶＫＡ−ＩＩモノクローナル抗体（Ｄ−１）とＰＩＶＫＡ―ＩＩ（Ｇ）との複合体（Ｊ）を形成させた。反応後、試験管の外側からネオジウム磁石で磁性シリカ粒子を１０秒間集め、試験管中の液をアスピレーターで除き、ネオジウム磁石を側面から十分に離し、生理食塩水０．５ｍＬを加えて磁性シリカ粒子を分散させて集磁後、アスピレーターで液を除く洗浄操作を３回行った。
【００７７】
○工程（２）
続いて、それぞれの免疫測定用キットの標識試薬０．１ｍＬをそれぞれ試験管に注入し、試験管中で３７℃で３分間反応させ、抗ＰＩＶＫＡ−ＩＩモノクローナル抗体固定化磁性シリカ粒子上に抗ＰＩＶＫＡ−ＩＩモノクローナル抗体（Ｄ−１）とＰＩＶＫＡ―ＩＩ（Ｇ）とＰＯＤ標識抗プロトロンビン抗体（Ｆ３）との複合体（Ｌ）を形成させた。反応後、試験管の外側からネオジウム磁石で磁性シリカ粒子を１０秒間集め、試験管中の液をアスピレーターで除き、ネオジウム磁石を側面から十分に離し、生理食塩水０．５ｍＬを加えて磁性シリカ粒子を分散させて集磁後、アスピレーターで液を除く洗浄操作を２回行った。
【００７８】
○化学発光・検出工程
最後に、ルミノール発光試薬（Ｅ１）０．１ｍＬと過酸化水素液（Ｅ２）０．１ｍＬとを同時に加え、３７℃で発光反応させ、ルミノール発光試薬（Ｅ１）及び過酸化水素液（Ｅ２）を添加後４０〜４５秒の一秒当たりの平均発光量をルミノメーター［ベルトールドジャパン社製「Ｌｕｍａｔ  ＬＢ９５０７」］で測定した。
【００７９】
また、上記「工程（１）」において、「ＰＩＶＫＡ−ＩＩ抗原（Ｇ）の濃度が２５ｍＡＵ／ｍＬになるように調整したプール血清」に代えて下記の標準液をそれぞれ用いる以外は同様にして、平均発光量をルミノメーターで測定し、発光量と抗原（Ｇ）の濃度との関係を示す検量線を作製した。得られた検量線から、上記「免疫測定法」における測定濃度を求めた。結果を表１に示す。
標準液：免疫反応緩衝液にてＰＩＶＫＡ−ＩＩ抗原（Ｇ）の濃度を０〜１００ｍＡＵ／ｍＬ（濃度ポイント：０、２５、５０、1００ｍＡＵ／ｍＬ）に調整したもの
【００８０】
＜正確性の評価方法＞
正確性については、測定濃度と実際の濃度「２５ｍＡＵ／ｍＬ」との比率から、以下の基準で判定した。
○：（測定濃度／実際の濃度）×１００＝９０％〜１１０％
×：（測定濃度／実際の濃度）×１００＜９０％又は＞１１０％
尚、測定濃度／実際の測定濃度が１００％に近いほど、正確性が高いことを意味する。
【００８１】
実施例６〜１０及び比較例６〜１０の免疫測定方法で評価した正確性の結果を表１に示す。
【００８２】
【表１】
2018141780.tif 000002
【００８３】
表１から、本発明の免疫測定用キットを用いた免疫測定方法は、比較用の免疫測定用キットを用いた免疫測定方法に比べて、測定濃度と実際の濃度の比率が１００％に近く、正確性が高いことがわかる。
【産業上の利用可能性】
【００８４】
本発明の免疫測定用キット及び免疫測定方法は正確性に優れることから、放射免疫測定法、酵素免疫測定法、蛍光免疫測定法及び化学発光免疫測定法等の臨床検査に幅広く適用できる。